(57)【要約】【課題】冷却ファンの回転軸廻りの不均等な質量分布による振動を防止する。【解決手段】ファン翼１１３を備えるファンホイール１０のホイール１１のディスク状の上部１１１又はファン翼をその外周に設けたリング部に、これらの外周に沿って円環状に凹溝、管などからなるガイド部１２１及び該ガイド部内に滑動可能に収容されたボールなどの滑動バランスウエイト１２２とからなる回転平衡ユニットを設ける。  冷却ファンを駆動回転すると、その回転軸廻りの不均衡による振動に伴なって滑動バランスウエイトは移動して不均衡を解消し、安定した回転を可能とする。【選択図】図６
0003128110.tif 000002
【実用新案登録請求の範囲】
【請求項１】
冷却ファンのファン翼を供える回転ホイールの軸廻りの上部又はその周縁のファン翼を備えたリング部の周縁に沿って、円環状に形成したガイド部とそのガイド部に収容されてその円環状のガイド部内を移動可能な滑動バランスウエイトからなる回転平衡ユニットを設け、
該ホイールの回転に伴なって該滑動バランスウエイトが上記円環状のガイド部内を移動することにより、回転に伴なう振動を抑制する平衡調整機能を具えるファン。
【請求項２】
前記ガイド部は、前記上部の内壁および外壁のいずれかに沿って周囲内側に設置することを特徴とする請求項１記載の平衡を具えるファンの機構。
【請求項３】
前記ガイド部は、前記リング部の内壁に沿って設置したことを特徴とする請求項１記載の平衡を具えるファンの機構。
【請求項４】
前記ガイド部は、凹溝であることを特徴とする請求項１または２または３記載の平衡を具えるファンの機構。
【請求項５】
前記ガイド部は、導管であることを特徴とする請求項１または２または３記載の平衡を具えるファンの機構。
【請求項６】
前記凹溝の開口箇所には、断面フック状の弾性フック部を設けたことを特徴とする請求項４記載の平衡を具えるファンの機構。
【請求項７】
前記凹溝の開口箇所は、密封蓋を設けたことを特徴とする請求項４記載の平衡を具えるファンの機構。
【請求項８】
前記滑動バランスウェイトが、ボールであることを特徴とする請求項１記載の平衡を具えるファンの機構。
【請求項９】
前記滑動バランスウェイトが、体積の小さい複数の顆粒物であることを特徴とする請求項１記載の平衡を具えるファンの機構。
【請求項１０】
前記顆粒物が、砂鉄であることを特徴とする請求項９記載の平衡を具えるファンの機構。
【請求項１１】
前記顆粒物が、粉末であることを特徴とする請求項９記載の平衡を具えるファンの機構。
【請求項１２】
前記滑動バランスウェイトが、液体であることを特徴とする請求項１記載の平衡を具えるファンの機構。
【考案の詳細な説明】
【技術分野】
【０００１】
本考案は、回転に伴なう平衡作用を利用して冷却ファンの平衡回転を維持する「平衡調整機能を具えるファン」に関する。
【背景技術】
【０００２】
空冷ファンにおいて、図１に示すようにファンホイール２１が製造過程において、例えば、翼２２の寸法が異なるかまたはホイールの厚さが一致しないなどにより、回転軸廻りに質量の不均等が発生することがあり、ファン２１が回転する時に不安定な回転をする直接的要因となって、騒音の増加だけではなく、ファンの回転効率も低下させ、更にはファンの損傷を引き起こす原因となる。
【０００３】
上記の問題が発生することを改善するために、従来技術の中華民国特許公告出願番号０９３２０５５７５号の「平衡を調整可能なファン」実用新案に掲載されるファンホイールにおいては、リング壁および上部壁を有し、リング壁は上縁および下縁、下側面および内側面を有し、複数個の開口を形成し、開口が、対称を成して配列されてなり；軸が、上部壁に結合され；複数の翼が、リング壁の外側面に形成してなり；少なくとも１つのバランスウェイトが、対応する開口に設置されてなり、翼の大きさの不均等、ファンホイール質量分布の不均等を克服するため、バランスウェイトを質量が比較的軽い箇所の開口内に設置し、ファンホイールの質量の平均分布を達成し、ファンが回転する時に安定平衡させる。
【０００４】
従来技術には実用上、問題が存在する。開口が予め決定されるとともに、対称に配列されることにより、ファンホイールの翼は製造時に翼の寸法の誤差の大きさを正確に知ることができず、そのいくつかの翼が誤差を発生し、質量が比較的軽くなっても、開口が質量の比較的軽い箇所の翼に対応して合わせることができず、バランスウェイトはファンの比較的軽い側に固定することができるだけであり、ウェイトの過不足が起こり、また、正確に質量の軽重の差異を予測することができないため、異なる重さのウェイトを実際に搭載して初めて質量のバランスを調整が可能となるため、各ファンにはその状況に応じて異なる負荷を与えるウェイトが必要となり、使用者および生産者の要求に合致することができない。
【０００５】
【特許文献１】特開平５−３０４３８０号公報
【特許文献２】特開平１１−１５０９０８号公報
【考案の開示】
【考案が解決しようとする課題】
【０００６】
上記の問題を効果的に解決するため、本考案の目的は、ファンのホイールに設ける回転平衡ユニットを提供し、前記回転平衡ユニットのガイド部内に滑動バランスウェイトを収容することにより、ファンホイール回転時に滑動バランスウェイトがガイド部の動作に従って移動するようにし、ファンを安定回転させることである。
【０００７】
本考案の他の目的は、予め重さを合わせる必要がなく、ファンが回転する時に平衡を調整するファンのウェイトを提供することである。
【０００８】
本考案の他の目的は、平衡を予め重さを合わせる必要がなく、ファンが回転する時に平衡を調整するファンのウェイトを提供することである。
【課題を解決するための手段】
【０００９】
上記の目的を達成する為、本考案が提供する「平衡調整機能を具えるファンの機構」は、ホイールおよび回転平衡ユニットを含むものであり、そのうち、ホイールは上部とリング部を有し、リング部は上部の周囲を巻くように連接し；回転平衡ユニットは、上部およびリング部の内いずれか１つの外壁または内壁のいずれか１つに設置し、回転平衡ユニットは、ガイド部および滑動バランスウェイトを含むものであり、滑動バランスウェイトはガイド部に収容され、ガイド部に従って移動し、ファンを平衡に安定回転させる。
【考案の効果】
【００１０】
本考案が提供する平衡を具えるファンの機構は、ファンのホイールに設ける回転平衡ユニットを提供し、前記回転平衡ユニットのガイド部内に滑動バランスウェイトを収容することにより、ファンホイール回転時に滑動バランスウェイトがガイド部の動作に従って移動するようにし、ファンを安定回転させる。
【考案を実施するための最良の形態】
【００１１】
本考案は、「平衡調整機能を具えるファンの機構」を提供し、図は、本考案の好適な実施例を示す。
図２，３に示すように、ファンホイール１０は、ホイール１１および回転平衡ユニット１２を有し、ホイール１１は、上部１１１およびリング部１１２からなり、回転ディスク状の上部１１１の外周縁を囲んでリング部１１２を形成する共に、リング部１１２の外周壁には、放射状に延伸する翼１１３を設ける。
【００１２】
上記回転平衡ユニット１２は、上部１１１およびリング部１１２のいずれかに設置され、本図中では、上部１１１の外壁に設置している。回転平衡ユニット１２は、ガイド部１２１および滑動バランスウェイト１２２からなる。ガイド部１２１は、上部１１１の周縁内側に沿って連続した凹溝として形成される。本実施例図中、ガイド部１２１は、上部１１１内に形成されるが、その開口には内部に収容したバランスウエイトが脱出しないように断面フック状の弾性フック部１２１１を設けているが、但しこれに限定するものではなく、開口箇所に密封蓋を設けて凹溝を封鎖してもよい（図示せず）。滑動バランスウェイト１２２は、ガイド部１２１内に収容してなり、本実施例図中、滑動バランスウェイト１２２は、ボールとして表示しているが、但しこれに限定するものではなく、体積が小さい複数の流動性資材にてなることが可能であり、例えば：砂鉄、粉末、または液体等である。
【００１３】
また、前記ファンホイール１０の上部１１１の内壁中心箇所には、軸芯１３を固定し、軸芯１３を基台１４の軸筒１４１内に挿入し（図７参照）、ファンホイール１０が回転できるように基台１４上にピン接合し、さらに、基台１４は、フレーム１５内（図４参照）に配置するか、またはヒートシンク１６上（図５参照）に設置される。
図６，７に示すように、ファンホイール１０が回転する時、滑動バランスウェイト１２２はホイール１１の回転に従い、回転または移動し、ガイド部１２１の動作に従い移動し、即ち、ホイール１１が回転すると同時に、滑動バランスウェイト１２２もガイド部１２１内を回転または移動し、滑動バランスウェイト１２２が重量を具えることにより、ガイド部１２１の動作に従い移動する時、重量をホイール上に平均分布させ、従来のファンホイールの質量分布が不均等になる問題を改善し、ファン１０が平衡に安定回転を維持できるようにし、言い換えれば、ファン１０は、製造時の質量分布の不均等により、回転時の揺動または震動が引き起こされるが、本考案の滑動バランスウェイト１２２はその振動に伴って重量移動し、瞬時にホイール１１の各箇所に分布し、動力平衡方式によりファンホイール１０の回転に従い、ファンホイール１０が平衡な安定回転を維持することを達成し、ノイズのデシベル値を低下させるだけではなく、従来技術のバランス不均等の問題を改善する。従って、従来技術と比較し本考案は、予めウェイトを配置する必要がなく、ファン回転時にファンの重量の平衡を調整させることができる。
【００１４】
更に上記の図は、ガイド部１２１が上部１１１の外壁に設置されるものを示すが、但しこれに限定するものではなく、図８に示すように、ガイド部１２１ｂが上部１１１の内壁に沿って周囲内側に設置することもでき；また、図９に示すように、ガイド部１２１ｃは、リング部１１２の内壁に沿って設置することもできる。
【００１５】
更に図１０に示すように、上記ガイド部１２１ａは導管としてもよく、ホイール１１の上部１１１の外壁上に設置し、導管内には、滑動バランスウェイト１２２を収容し、滑動バランスウェイト１２２が導管内を移動するようにさせることができる。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１７】
【図１】従来のファンの回転時の側面断面図である。
【図２】本考案の好適な実施例の正面図である。
【図３】本考案の好適な実施例の断面図である。
【図４】本考案の好適な実施例のファンホイールをファンフレーム内に組み込む説明図である。
【図５】本考案の好適な実施例のファンホイールをヒートシンク上に組み込む説明図である。
【図６】本考案の好適な実施例の動作時の正面図である。
【図７】本考案の好適な実施例の動作時の側面図である。
【図８】本考案の好適な実施例のガイド部の他の状態の説明図である。
【図９】本考案の好適な実施例のガイド部の他の状態の説明図である。
【図１０】本考案の好適な実施例のガイド部の他の状態の説明図である。
【符号の説明】
【００１８】
１０ ファンホイール
１１ ホイール
１１１ 上部
１１２ リング部
１１３ 翼
１２ 回転平行ユニット
１２１，１２１ａ，１２１ｂ，１２１ｃ，１２１ｄ  ガイド部
１２１１ 弾性フック部
１２２ 滑動バランスウェイト
１３ 軸芯
１４ 基台
１４１ 軸筒
１５ フレーム
１６ ヒートシンク
２１ ファンフレーム
２２ 翼
【図１】
0003128110.tif 000003
【図２】
0003128110.tif 000004
【図３】
0003128110.tif 000005
【図４】
0003128110.tif 000006
【図５】
0003128110.tif 000007
【図６】
0003128110.tif 000008
【図７】
0003128110.tif 000009
【図８】
0003128110.tif 000010
【図９】
0003128110.tif 000011
【図１０】
0003128110.tif 000012
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
冷却ファンのファン翼を供える回転ホイールの軸廻りの上部又はその周縁のファン翼を備えたリング部の周縁に沿って、円環状に形成したガイド部とそのガイド部に収容されてその円環状のガイド部内を移動可能な滑動バランスウエイトからなる回転平衡ユニットを設け、
該ホイールの回転に伴なって該滑動バランスウエイトが上記円環状のガイド部内を移動することにより、回転に伴なう振動を抑制する平衡調整機能を具えるファン。
【請求項２】
前記ガイド部は、前記上部の内壁および外壁のいずれかに沿って周囲内側に設置することを特徴とする請求項１記載の平衡調整機能を具えるファン。
【請求項３】
前記ガイド部は、前記リング部の内壁に沿って設置したことを特徴とする請求項１記載の平衡調整機能を具えるファン。
【請求項４】
前記ガイド部は、凹溝であることを特徴とする請求項１または２または３記載の平衡調整機能を具えるファン。
【請求項５】
前記ガイド部は、導管であることを特徴とする請求項１または２または３記載の平衡調整機能を具えるファン。
【請求項６】
前記凹溝の開口箇所には、断面フック状の弾性フック部を設けたことを特徴とする請求項４記載の平衡調整機能を具えるファン。
【請求項７】
前記凹溝の開口箇所は、密封蓋を設けたことを特徴とする請求項４記載の平衡調整機能を具えるファン。
【請求項８】
前記滑動バランスウェイトが、ボールであることを特徴とする請求項１記載の平衡調整機能を具えるファン。
【請求項９】
前記滑動バランスウェイトが、体積の小さい複数の顆粒物であることを特徴とする請求項１記載の平衡調整機能を具えるファン。
【請求項１０】
前記顆粒物が、砂鉄であることを特徴とする請求項９記載の平衡調整機能を具えるファン。
【請求項１１】
前記顆粒物が、粉末であることを特徴とする請求項９記載の平衡調整機能を具えるファン。
【請求項１２】
前記滑動バランスウェイトが、液体であることを特徴とする請求項１記載の平衡調整機能を具えるファン。